(57)【要約】【課題】排気に含まれる細塵や回路基板収納室に侵入した水等により、回路基板をショートさせることの無い電気掃除機を提供すること。【解決手段】吸引風を発する電動送風機８を内蔵する掃除機本体１と、掃除機本体１内の電動送風機８と隔離して設けられ、制御を行うための回路基板１２を収納する回路基板収納室１３と、回路基板収納室１３の底面に設けられ、電動送風機８の排気側と連通する水抜き孔１５とを備え、水抜き孔１５の電動送風機８側下面を、通気性を有する不織布１６で覆う電気掃除機とした。これにより、塵埃を吸引時には、水抜き孔１５を覆った不織布１６が排気風に含まれる細塵を除去し、また水が回路基板収納室１３に浸入した場合も、水抜き孔１５を通して不織布１６に浸透させて徐々に排出でき、共に回路基板１２がショートすることが無く、安全性を高めた電気掃除機を提供できる。【選択図】図３
2007275328.tif 000002
【特許請求の範囲】
【請求項１】
吸引風を発する電動送風機を内蔵する掃除機本体と、前記掃除機本体内の電動送風機と隔離して設けられ、制御を行うための回路基板を収納する回路基板収納室と、前記回路基板収納室の底面に設けられ、前記電動送風機の排気口と連通する水抜き孔とを備え、前記水抜き孔の電動送風機側下面を、通気性を有する不織布で覆ったことを特徴とする電気掃除機。
【請求項２】
水抜き孔の内壁全周から不織布側に向かって突出する、凸部を設けた請求項１記載の電気掃除機。
【請求項３】
回路基板収納室の底面に、水抜き孔とつながる溝部を設け、溝部を流れる水が水抜き孔に流れ込む構成とした請求項１または２に記載の電気掃除機。
【発明の詳細な説明】
【技術分野】
【０００１】
本発明は、水抜き穴を備えた、電気掃除機に関するものである。
【背景技術】
【０００２】
従来の電気掃除機について、図５を用いて説明する。図５において、電動送風機２５が収納された電動送風機室２０の上部に区画形成された回路室３８と、この回路室３８内に収納され、電動送風機２５の駆動状態を制御する制御手段を搭載した回路基板３９が設けられている。さらに電動送風機室２０の後方に排気室５２を設け、前記排気室５２の上部に、回路室３８に連通する略円形の水抜き孔５５を開口形成している。
【０００３】
上記のような構成で、不慮にこぼれた水等は回路室に侵入した場合、水抜き孔を通して電動送風機室へ流入させ、回路室内に蓄積させないものであった（例えば、特許文献１参照）。
【特許文献１】特開平８−３８３９８号公報
【発明の開示】
【発明が解決しようとする課題】
【０００４】
しかしながら、上記構成では、通常塵埃を吸引する掃除状態において、電動送風機が駆動し吸引風を発生して塵埃を吸引し、排気を本体後方へ排出する際、紙袋等で捕集しきれなかった細塵を含んだ空気は、水抜き孔を通して回路室内へ進入し、常時回路基板へ当たるため、細塵が付着し回路基板がショートし誤動作を起こす恐れがあるという問題があった。
【０００５】
また、水抜き孔を塞ぎ回路室内を密室にした場合は、特に制御を切り替えるスイッチ等を備える電気掃除機では、必然的にスイッチ部分を通し外部へ開放される個所ができるため、開放部分から浸入した不慮にこぼれた水等は逃げる空間が無く、回路室内に蓄積し回路基板を水でショートさせ誤動作させるといった問題もあった。
【０００６】
さらに、回路基板は発熱源であり、効率的に冷却する必要もある。
【０００７】
本発明は上記課題を解決するもので、排気に含まれる細塵により回路基板をショートさせること無く、不慮にこぼれた水等を確実に排出することのできる使い勝手のよい電気掃除機を提供することを目的とする。
【課題を解決するための手段】
【０００８】
上記従来の課題を解決するために本発明の電気掃除機は、吸引風を発する電動送風機を内蔵する掃除機本体と、前記掃除機本体内の電動送風機と隔離して設けられ、制御を行うための回路基板を収納する回路基板収納室と、前記回路基板収納室の底面に設けられ、前記電動送風機の排気口と連通する水抜き孔とを備え、前記水抜き孔の電動送風機側下面を、通気性を有する不織布で覆ったもので、排気に含まれる細塵や不慮にこぼれた水等により回路基板をショートさせることが無く、安全性を高めた使い勝手のよい電気掃除機を提供するものである。
【発明の効果】
【０００９】
本発明の電気掃除機は、排気に含まれる細塵や不慮にこぼれた水等により回路基板をショートさせることが無く、安全性を高めた使い勝手のよい電気掃除機を提供できる。
【発明を実施するための最良の形態】
【００１０】
第１の発明は、吸引風を発する電動送風機を内蔵する掃除機本体と、前記掃除機本体内の電動送風機と隔離して設けられ、制御を行うための回路基板を収納する回路基板収納室と、前記回路基板収納室の底面に設けられ、前記電動送風機の排気口と連通する水抜き孔とを備え、前記水抜き孔の電動送風機側下面を、通気性を有する不織布で覆ったもので、塵埃を吸引時には、不織布がフィルターとなり電動送風機からの排気風に含まれる細塵を除去し、綺麗な空気のみが回路基板収納室に侵入し回路基板の冷却を行い、排気に含まれる細塵により回路基板をショートさせることが無く、安全性を高められる。また、不慮に水がこぼれ回路基板収納室に浸入した場合には、水抜き孔を通して不織布１６に浸透させて徐々に排出でき、回路基板収納室に水が蓄積されることがなく、回路基板を水でショートさせることも無くなり、また水抜き孔を通過した水が少量の場合は、不織布１６に浸透した状態で乾燥するため、更に安全性が高まり、使い勝手も向上できる。
【００１１】
第２の発明は、第１の発明の水抜き孔の内壁全周から不織布側に向かって突出する、凸部を設けたもので、凸部が不織布に押圧され、水抜き孔と不織布との間のエアータイトをより確実に行うため、確実に不織布を通った排気風のみが水抜き孔を通して回路基板収納室へ入るため、細塵をより確実に不織布で除去でき、回路基板がショートすることが更に無くなり、より安全性を高めた、使い勝手の良い電気掃除機が提供できる。
【００１２】
第３の発明は、第１または第２の発明の回路基板収納室の底面に、水抜き孔とつながる溝部を設け、溝部を流れる水が水抜き孔に流れ込む構成としたもので、不慮にこぼれて浸入した水等は、水抜き孔から離れた位置においても、溝部を通り水抜き孔へ導かれて排出されるため、水抜き孔を数多く設ける必要もなく、より確実に、回路基板収納室内に侵入した広い範囲の水を排出できるため、より安全性を高めた、使い勝手の良い電気掃除機が提供できる。
【００１３】
以下、本発明の実施の形態について、図面を参照しながら説明する。なお、この実施の形態によりこの発明が限定されるものではない。
【００１４】
（実施の形態１）
本発明の第１の実施の形態について、図１〜図４を用いて説明する。
【００１５】
図１は第１の実施の形態における電気掃除機の全体斜視図、図２は同掃除機本体の断面図、図３は同掃除機の要部詳細断面図、図４は回路収納室まわりの斜視図を示す。図１〜図４において、掃除機本体（以下、「本体」と称す）１は、吸引風を発生させる電動送風機２と、電動送風機２を収納する電動送風機室８を備え、電動送風機２の吸引風の上流側には集塵体である紙袋３を収納するための集塵室４を設けている。さらに紙袋３の上流側には、ホース５の一端が接続され、他端には延長管６を介して床用吸込み口７を接続している。
【００１６】
次に、回路基板収納室の詳細について説明する。
【００１７】
本体１は、音声を発するスピーカー９を備え、音声の聞き直しのできるスイッチ１０と電動送風機の入力を制御する、ひかえめモードスイッチ１１とを備えた回路基板１２を設けている。また、回路基板１２は電動送風機室８と隔離された位置の回路基板収納室１３内に収納され、回路基板収納室１３の底面に、電動送風機室８の排気側と連通する、略円形状の水抜き孔１５を備え、前記水抜き孔１５の内周から下方の電動送風機室に向けて、厚み約１ｍｍのリング状の凸部１４を設けている。さらに、水抜き孔１５の下面すなわち電動送風機室８側に、防音材を兼ねた通気性を有する不織布１６を備え、前記凸部１４が押圧されている。一方、回路基板収納室１３内には、水抜き孔１５へ連通した十字状の溝部１７を備えている。
【００１８】
以上のように構成された電気掃除機について、以下その動作、作用を説明する。
【００１９】
掃除機本体１を運転すると電動送風機２が回転し、その吸引風により塵埃が床用吸い込み口７、延長管６、ホース５を通り集塵室４にある紙袋３へと捕集される。塵埃を吸引時には、紙袋３で捕集しきれなかった細塵を含む排気風は、不織布１６がフィルターとなり排気風に含まれる細塵を除去し、綺麗な空気のみが回路基板収納室１３に侵入し回路基板１２の冷却を行う。
【００２０】
また、不慮にスイッチ１０等の上方から水がこぼれた場合で、スイッチ１０等のために開放された空間から水が回路基板収納室１３内に浸入した場合においても、水抜き孔１５を通し不織布１６へ浸透していき徐々に電動送風機室８へ排出されるため、排気に含まれる細塵により回路基板１２をショートさせること無く、不慮にこぼれた水が回路基板収納室１３内に蓄積されて、回路基板１２をショートさせることも無く、安全性を高めることができる。
【００２１】
またその際、凸部１４が不織布１６に押圧され、水抜き孔１５と不織布１６との間のエアータイトをより確実に行うため、不織布１６を通過せずに、不織布１６の外周から周りこんだ細塵を含んだ排気が水抜き孔１５に侵入することもなく、確実に不織布１６を通った排気風のみが水抜き孔１５を通って回路基板収納室１３に入るため、細塵をより確実に除去でき、回路基板１２がショートする可能性をより少なくすることができる。さらに、水抜き孔１５から離れた位置に溜まった水も、溝部１７を通り水抜き孔１５へ導かれて排出されるため、多くの水抜き孔１５を設ける必要もなく、より確実に広い範囲の水を排出できる。
【産業上の利用可能性】
【００２２】
以上のように、本発明にかかる電気掃除機は、排気に含まれる細塵や不慮にこぼれた水等により回路基板をショートさせることが無く、安全性を高められ、家庭用、業務用等の電気掃除機に特に有用である。
【図面の簡単な説明】
【００２３】
【図１】本発明の実施の形態１を示す電気掃除機の全体斜視図
【図２】同電気掃除機本体の断面図
【図３】同電気掃除機本体の要部詳細断面図
【図４】同電気掃除機本体の回路収納室まわりの斜視図
【図５】従来の電気掃除機本体の断面図
【符号の説明】
【００２４】
１    掃除機本体
２    電動送風機
８    電動送風機室
１２  回路基板
１３  回路基板収納室
１４  凸部
１５  水抜き孔
１６  不織布
１７  溝部
【図１】
2007275328.tif 000003
【図２】
2007275328.tif 000004
【図３】
2007275328.tif 000005
【図４】
2007275328.tif 000006
【図５】
2007275328.tif 000007